(57)【要約】  白煙及び霧の除去装置は、乾燥空気を生成し、燃料の燃焼により凝結核を生成する熱交換部と、熱交換部に連結されて、生成された乾燥空気と凝結核の伝達を受けて、白煙や霧が発生した位置に強力な風圧で噴射する噴射部と、熱交換部と噴射部を連結する連結管の内部一側に構成されて陰イオンを生成し陰イオン化した凝結核を生成する凝結核陰イオン生成部と、乾燥空気の粉塵物質をフィルターリングする集塵フィルター部と、噴射部に形成されて、大気中の空気の湿気を除去する湿気除去フィルター部と、熱交換部、連結管、噴射部、集塵フィルター部、湿気除去フィルター部、及び燃料タンクを内部に装着し、下側面のキャスターにより移動が可能なハウジングと、噴射部の前段に対応するハウジングの外部下側面に、噴射部に連通されて所定の長さを有するジャバラと、を含む。【選択図】図１
2020525753.tif 000002
【特許請求の範囲】
【請求項１】
燃料の燃焼を通じて空気を加熱して乾燥空気を生成し、燃料の燃焼を通じて発生する燃焼粒子による凝結核を生成する熱交換部（１１０）と、
熱交換部（１１０）に連結管（１３０）で連結されて、熱交換部（１１０）で生成された前記乾燥空気と前記凝結核の伝達を受けて、白煙や霧が発生した位置に強力な風圧で遠距離に噴射する噴射部（１２０）と、
熱交換部（１１０）と噴射部（１２０）を連結する連結管（１３０）の内部一側に構成されて陰イオンを生成して、前記生成した陰イオンと前記凝結核を結合して陰イオン化した凝結核を生成する凝結核陰イオン生成部（１４０）と、
熱交換部（１１０）または熱交換部（１１０）と連結管（１３０）の間に設置されて、乾燥空気の粉塵物質をフィルターリングする集塵フィルター部（１５０）と、
噴射部（１２０）に形成されて、大気中の空気を吸入する時に湿気を除去する湿気除去フィルター部（１６０）と、
熱交換部（１１０）、連結管（１３０）、噴射部（１２０）、集塵フィルター部（１５０）及び湿気除去フィルター部（１６０）が内部にコンパクトに装着構成されて、熱交換部（１１０）で空気を加熱するための燃料を供給する燃料タンク（１７０）が構成されて、下側面に設置されたキャスター（Ｃ）により移動が可能な構成を有するハウジング（１８０）と、
噴射部（１２０）の前段に対応するハウジング（１８０）の外部下側面に噴射部（１２０）に連通されて、所定の長さを有するジャバラ（１９０）と、を含むことを特徴とする白煙及び霧の除去装置。
【請求項２】
ハウジング（１８０）の外部上側面にチルト構造のサーチライト（Ｒ）が装着構成されることを特徴とする請求項１に記載の白煙及び霧の除去装置。
【請求項３】
ハウジング（１８０）の外部または内部に構成されて噴射部（１２０）、凝結核陰イオン生成部（１４０）、集塵フィルター部（１５０）及び湿気除去フィルター部（１６０）に動作電源を供給する発電手段（Ｇ）をさらに含むことを特徴とする請求項１に記載の白煙及び霧の除去装置。
【請求項４】
熱交換部（１１０）は、
燃料の燃焼が行われる燃焼タンク（１１１）と、
燃焼タンク（１１１）の一側に位置されて外部から空気が流入して燃焼熱により熱交換が行われるスペースを提供する熱交換タンク（１１２）と、
燃焼タンク（１１１）から延びて、熱交換タンク（１１２）の内部スペースにジグザグまたは螺旋の形状に延長設置されて、燃焼熱が移動するようにして熱交換タンク（１１２）の内部に流入した外部の空気が熱交換されるようにする熱交換管（１１３）と、
熱交換管（１１３）の端部から延びて熱交換タンク（１１２）の外周面に螺旋の形状で配管設置されて、熱交換された燃焼熱が移動されるようにする放熱防止管（１１４）と、
熱交換タンク（１１２）に外部から流入する空気が螺旋形で流入するようにして、外部空気が熱交換タンク（１１２）の内部で移動する時間が遅滞するようにする外気流入管（１１５）と、を含むことを特徴とする請求項１に記載の白煙及び霧の除去装置。
【請求項５】
熱交換管（１１３）は、
所定の直径を有する熱交換チューブ（１１３ａ）と、
熱交換チューブ（１１３ａ）の外周面に一定の間隔で接合される円盤形状の伝熱板（１１３ｂ）と、
伝熱板（１１３ｂ）の端に折曲形成される伝熱フィン（１１３ｃ）と、を含むことを特徴とする請求項４に記載の白煙及び霧の除去装置。
【請求項６】
外気流入管（１１５）は、
熱交換タンク（１１２）内部の外気流入段の内周面を覆いながら設置されるパイプタイプの流入輪（１１５ａ）と、
流入輪（１１５ａ）の外周面に連通構成されて外気流入ファンを通じて流入輪（１１５ａ）の内部に外部空気が供給されるようにする流入管（１１５ｂ）と、
流入輪（１１５ａ）の内周面に一定の間隔と傾斜した角度を有しながら連通構成されて、外部空気が熱交換タンク（１１２）の内部に螺旋方向を有しながら噴射されるようにする複数個の外気噴射管（１１５ｃ）と、を含むことを特徴とする請求項５に記載の白煙及び霧の除去装置。
【請求項７】
集塵フィルター部（１５０）と湿気除去フィルター部（１６０）は、
フィルターの内部に高圧放電部が構成されて、
前記高圧放電部は、
外部の高電圧源から電気を供給する第１蓄電器の両端に放電機の２つの電極が連結されて、
前記放電機の後段に第２蓄電器と変圧器を通じて放電室の放電電極と接地電極が連結された形態を有することを特徴とする請求項１に記載の白煙及び霧の除去装置。
【請求項８】
ジャバラ（１９０）の端部にサーチライト（Ｒ）が装着構成されて、
サーチライト（Ｒ）は、
バッテリーにより動作電源が供給される構造でジャバラ（１９０）の把持機能を提供する取っ手に構成されたオン／オフスイッチにより制御されることを特徴とする請求項１に記載の白煙及び霧の除去装置。
【発明の詳細な説明】
【技術分野】
【０００１】
本発明は白煙及び霧の除去装置に係り、より詳しくは、配管破損による白煙や霧などの発生時に白煙や霧の発生部位に乾燥空気及び陰イオン凝結核を噴射させて、白煙や霧の粒子が沈降及び蒸発されることにより、白煙及び霧が除去されるようにする白煙及び霧の除去装置に関する。
【背景技術】
【０００２】
一般的に、白煙や霧などは冬季に暖房用配管などの破損や損傷時に漏出する熱水が冷たい外気と接触する時に発生するか、大気中の水蒸気が冷たい空気とぶつかって凝結して発生するもので、白煙などにより該配管を補修するための作業時の視界が減少し、多様な安全事故が起きるか、作業が遅れるという問題が発生する。
【０００３】
そこで、上記のような白煙及び霧を除去するための白煙及び霧の除去装置が検討されているが、主に地盤掘削による白煙や霧などを低減するためのものであって、送風装置を用いて掘削された問題箇所の地盤内に存在する白煙や霧などを外部に強制排気させる構造を有する。
【０００４】
しかし、上記強制排気方式の白煙及び霧の除去装置は、白煙や霧などを根本的に除去させるものではないので、白煙や霧の量が多い場合は、白煙や霧の除去に多くの時間を要し、緊急の補修作業が行われないという問題がある。
【０００５】
また、従来の強制排気方式の白煙及び霧の除去装置は、主に、大気汚染物質を排出する施設である焼却炉や金属溶解炉、湿式脱黄施設などに適用設置されるものであり、移動が不可能な構造を有するので、一般的に人や車両の通行する道路などの地中に位置する配管の破損により白煙が発生する場所や道路などには適用ができないという問題がある。
【先行技術文献】
【特許文献】
【０００６】
【特許文献１】韓国登録特許第１０−１７４６０９６号
【特許文献２】韓国公開特許第１０−２０１０−００４２５７７号
【特許文献３】韓国登録特許第１０−１５５９５４６号
【発明の概要】
【発明が解決しようとする課題】
【０００７】
従って、本発明の目的は、白煙や霧の発生部位に乾燥空気及び陰イオン凝結核を噴射させて、白煙や霧の粒子が沈降及び蒸発されることにより、白煙や霧が除去されるようにする白煙及び霧の除去装置を提供することである。
【０００８】
また、本発明の他の目的は、所定の大きさを有するハウジングの内部に白煙や霧の除去のための構成部がコンパクトに構成されて、白煙や霧の発生位置に容易に移動できるように白煙及び霧の除去装置を提供することである。
【０００９】
また、本発明の他の目的は、ハウジングから白煙や霧の発生位置までジャバラが構成されて地面にハウジングが位置された状態でも低い位置の箇所に発生した白煙や霧が除去されるようにする白煙及び霧の除去装置を提供することである。
【００１０】
一方、本発明の目的は、上述した目的に限定されることなく、述べなかった他の目的は下記から当業者にとって明確に理解される。
【課題を解決するための手段】
【００１１】
本発明によれば、燃料の燃焼を通じて空気を加熱して乾燥空気を生成して燃料の燃焼を通じて発生する燃焼粒子による凝結核を生成する熱交換部と、熱交換部に連結管で連結されて熱交換部で生成された前記乾燥空気と前記凝結核の伝達を受けて白煙や霧が発生された位置に強力な風圧で遠距離に噴射する噴射部と、熱交換部と噴射部を連結する連結管の内部一側に構成されて陰イオンを生成して、前記生成された陰イオンと前記凝結核を結合して陰イオン化した凝結核を生成する凝結核陰イオン生成部と、熱交換部または熱交換部と連結管の間に設置されて乾燥空気の粉塵物質をフィルターリングする集塵フィルター部と、噴射部に形成されて大気中の空気吸入時に湿気を除去する湿気除去フィルター部と、熱交換部、連結管、噴射部、集塵フィルター部及び湿気除去フィルター部が内部にコンパクトに装着構成されて、熱交換部で空気を加熱するための燃料を供給する燃料タンクが構成されて、下側面に設置されたキャスターにより移動の可能な構成を有するハウジングと、噴射部の前段に対応するハウジングの外部下側面に噴射部に連通されて所定の長さを有するジャバラを含む白煙及び霧の除去装置が提供される。
【００１２】
ここで、上記白煙及び霧の除去装置は、ハウジングの外部上側面にチルト構造のサーチライトが装着構成されることが好ましい。
【００１３】
また、上記白煙及び霧の除去装置は、ハウジングの外部または内部に構成されて噴射部、凝結核陰イオン生成部、集塵フィルター部及び湿気除去フィルター部に動作電源を供給する発電手段をさらに含むことが好ましい。
【発明の効果】
【００１４】
従って、本発明によれば、配管の破損による熱水により白煙や大気中に霧が発生する時に白煙や霧の発生部位に乾燥空気及び陰イオン凝結核が噴射されることにより、白煙や霧の粒子が沈降及び蒸発されて白煙や霧が根本的に除去されるようにできる。
【００１５】
また、所定の大きさを有するハウジングの内部に白煙や霧を除去するための構成部がコンパクトに構成されることにより、白煙や霧の発生位置に容易に移動及び接近して速かに白煙や霧が除去されるようにできる。
【００１６】
また、ハウジングから白煙や霧の発生位置までジャバラが構成されることにより、地面から問題箇所までが深くてハウジングの接近ができない場合でも、ジャバラを通じて白煙や霧の発生位置に乾燥空気と陰イオン凝結核が噴射されて白煙や霧が除去されるようにできる。
【００１７】
一方、本発明の効果は上述した効果に限定されることなく、述べなかった他の効果は請求範囲の記載から当業者にとって明確に理解される。
【図面の簡単な説明】
【００１８】
【図１】本発明の好ましい時実施例による白煙及び霧の除去装置を示す斜視図である。
【図２】図１の白煙及び霧の除去装置の正面を示す図面である。
【図３】図１の白煙及び霧の除去装置の背面示す図面である。
【図４】図１の白煙及び霧の除去装置の内部の構成を示す図面である。
【図５】図１の白煙及び霧の除去装置において熱交換部の構成を示す図面である。
【図６】図１の白煙及び霧の除去装置において熱交換部の構成を示す図面である。
【図７】図１の白煙及び霧の除去装置において熱交換部の構成を示す図面である。
【図８】図１の白煙及び霧の除去装置を用いて白煙が除去される様子を示す図面である。
【発明を実施するための形態】
【００１９】
以下、添付の図面を参照して、本発明の好ましい実施例について詳細に説明する。
【００２０】
図１乃至図８に示すように、本発明の好ましい実施例による白煙及び霧の除去装置は、燃料の燃焼を通じて空気を加熱して乾燥空気を生成して燃料の燃焼を通じて発生する燃焼粒子による凝結核を生成する熱交換部（１１０）、熱交換部（１１０）に連結管（１３０）で連結されて熱交換部（１１０）で生成された乾燥空気と凝結核の伝達を受けて白煙や霧が発生された位置、即ち、配管の破損や損傷が発生した部分などに強力な風圧で遠距離に噴射する噴射部（１２０）、熱交換部（１１０）と噴射部（１２０）を連結する連結管（１３０）の内部一側に構成されて電気石を通じて陰イオンを生成して、生成された陰イオンと凝結核を結合して陰イオン化した凝結核を生成する凝結核陰イオン生成部（１４０）、熱交換部（１１０）または熱交換部（１１０）と連結管（１３０）の間に設置されて熱交換部（１１０）で熱交換されて生成された乾燥空気から出る粉塵物質をフィルターリングする集塵フィルター部（１５０）、噴射部（１２０）に形成されて大気中の空気吸入時に湿気を除去する湿気除去フィルター部（１６０）及び熱交換部（１１０）、連結管（１３０）、噴射部（１２０）、集塵フィルター部（１５０）及び湿気除去フィルター部（１６０）が内部にコンパクトに装着構成されて熱交換部（１１０）で空気を加熱するための燃料を供給する燃料タンク（１７０）が構成されて下側面にキャスター（Ｃ）を通じて移動の可能な構成を有するハウジング（１８０）を含む。
【００２１】
ここで、本発明による白煙及び霧の除去装置は、噴射部（１２０）の前段に対応するハウジング（１８０）の外部下側面に、噴射部（１２０）に連通されて所定の長さを有するジャバラ（１９０）が構成されて白煙や霧の発生位置にハウジング（１８０）の移動及び接近ができない場合でも、噴射部（１２０）を通じて噴射される乾燥空気と凝結核が白煙や霧の発生部位に噴射されるようにできる。
【００２２】
また、本発明による白煙及び霧の除去装置は、ハウジング（１８０）の外部上側面やジャバラ（１９０）の端部にサーチライト（Ｒ）が装着構成されて夜間でも白煙や霧の除去作業を可能にすることが好ましい。
【００２３】
ここで、サーチライト（Ｒ）は、ハウジング（１８０）に構成される場合は、チルト構造を有することにより、照明角度が調節されるようにすることができ、ジャバラ（１９０）の端部に構成される場合は、バッテリーにより動作電源が供給される構造を有しジャバラ（１９０）の把持機能を提供する取っ手にオン／オフのスイッチが構成されることが好ましい。
【００２４】
また、本発明による白煙及び霧の除去装置は、ハウジング（１８０）の外部または内部に構成されて噴射部（１２０）、凝結核陰イオン生成部（１４０）、集塵フィルター部（１５０）及び湿気除去フィルター部（１６０）の以外に、サーチライト（Ｒ）などの構成部に動作電源を供給する発電手段（Ｇ）をさらに含む。
【００２５】
一方、本発明のハウジング（１８０）は、横１８０ｃｍ〜２００ｃｍ、縦１５０ｃｍ〜１８０ｃｍ及び幅５０ｃｍ〜６０ｃｍのフレームとフレームの外面に設置されるカバーパネルにより上記構成部が設置されるための所定のスペースが提供されて、下部パネルに設置されるキャスター（Ｃ）により約３００Ｋｇの重さを有する白煙及び霧の除去装置が作業者によりスライディング移動されて白煙や霧の発生位置に容易に移動及び接近される構造を有することが好ましい。
【００２６】
ここで、ハウジング（１８０）の上側フレームやカバーパネルには連結輪がさらに設置されて、リフティング装置の連結用ワイヤーなどに連結された状態で昇降方式により白煙や霧の発生位置に移動しても良い。
【００２７】
また、ハウジング（１８０）のフレームには後述する熱交換部（１１０）の燃焼タンク（１１１）や熱交換タンク（１１２）などの構成部がマウントに安着された状態で上記マウントがガイドローラを通じて上記フレームにガイドされながら装着及び脱着される構造により、維持補修が容易に行われるようにすることが好ましい。
【００２８】
熱交換部（１１０）は、燃料の燃焼を通じて空気を加熱して乾燥空気を生成して燃料の燃焼を通じて発生する燃焼粒子による凝結核を生成する手段として、燃料の燃焼が行われる燃焼タンク（１１１）、燃焼タンク（１１１）の一側に位置されて外部から空気が流入して燃焼熱により熱交換が行われるスペースを提供する熱交換タンク（１１２）、燃焼タンク（１１１）から延びて熱交換タンク（１１２）の内部スペースにジグザグまたは螺旋の形状に延長設置されて燃焼熱が移動するようにして熱交換タンク（１１２）の内部に流入した外部の空気が熱交換されるようにする熱交換管（１１３）、熱交換管（１１３）の端部から延びて熱交換タンク（１１２）の外周面にジグザグまたは螺旋形状に配管設置されて熱交換された燃焼熱が移動するようにして熱交換タンク（１１２）の外周面が外部空気の接触により急速に放熱されることを抑制する放熱防止管（１１４）及び熱交換タンク（１１２）に外部から流入する空気が螺旋形に流入するようにして外部の空気が熱交換タンク（１１２）の内部で移動する時間が遅滞するようにして熱交換効率が向上するようにする外気流入管（１１５）などで構成される。
【００２９】
熱交換管（１１３）は、燃焼タンク（１１１）の内部で燃料の燃焼時に発生する燃焼熱が外部に排気されるようにする排気パイプとして、所定の直径を有する熱交換チューブ（１１３ａ）、熱交換チューブ（１１３ａ）の外周面に一定間隔で接合されて熱交換チューブ（１１３ａ）の強度向上と共に伝熱面積の増加による熱交換効率が向上するようにする円盤形状の伝熱板（１１３ｂ）及び伝熱板（１１３ｂ）の端に「Ｌ」字形に折曲形成されて外部空気の移動方向に対する抵抗力を発生させて熱交換タンク（１１２）の内部に形成された暖流を通じて熱交換効率が向上するようにする伝熱フィン（１１３ｃ）を含むことが好ましい。
【００３０】
熱交換管（１１３）によれば、熱交換チューブ（１１３ａ）の外周面に複数個の伝熱板（１１３ｂ）が接合されて、それと共に伝熱板（１１３ｂ）の端に伝熱フィン（１１３ｃ）がさらに形成されることにより、外部空気の乾燥効率が向上するようにできる。
【００３１】
この際、熱交換チューブ（１１３ａ）の外周面に伝熱板（１１３ｂ）が接合される構成は、単に熱交換チューブ（１１３ａ）の伝熱面積を向上させるために無数に多くの伝熱突起が接合されるもの対して、同一またはそれ以上の伝熱面積を提供しながらも接合作業が相対的に簡単に行われるため、接合構造の改善による作業性向上の効果も奏する。
【００３２】
外気流入管（１１５）は、熱交換タンク（１１２）に外部から流入する空気が螺旋形に流入するようにする外気流入手段として、熱交換タンク（１１２）の内部の外気流入段の内周面を覆いながら設置されるパイプタイプの流入輪（１１５ａ）、流入輪（１１５ａ）に連通構成されて別途に構成される外気流入ファンを通じて流入輪（１１５ａ）の内部に外部空気が供給されるようにする流入管（１１５ｂ）及び流入輪（１１５ａ）の内周面に一定の間隔と傾斜した角度を有しながら連通構成されて外部空気が熱交換タンク（１１２）の内部に螺旋方向を有しながら噴射されて熱交換タンク（１１２）の内部で移動する時間が遅滞するようにして熱交換効率が向上するようにする複数個の外気噴射管（１１５ｃ）などで構成される。
【００３３】
ここで、外気噴射管（１１５ｃ）は、流入輪（１１５ａ）に対して選択的に噴射角度が調節できるように構成することができる。
【００３４】
外気流入管（１１５）によれば、外部空気が熱交換タンク（１１２）の内部で移動する時間が遅滞して熱交換管（１１３）との接触時間が長くなるようになり、外部空気の乾燥効率が向上するようにできる。
【００３５】
ここで、熱交換管（１１３）は、外部空気が熱交換タンク（１１２）の内部から螺旋方向に回転するようになり、連結管（１３０）に流入する時まで上広下狭の旋風構造を有するので、それに対応した形状で配管が行われ外部空気に接触する面積が増大するようにすることが好ましい。
【００３６】
従って、熱交換部（１１０）によれば、外気流入管（１１５）により熱交換タンク（１１２）の内部スペースに螺旋形で外部空気が流入することにより、外部空気が熱交換タンク（１１２）の内部で移動する時間が遅滞して熱交換管（１１３）との接触時間と面積が増えるようになり、外部空気の乾燥効率を向上させることができる。
【００３７】
続いて、上記のような構成を有する白煙及び霧の除去装置による白煙の除去過程について説明する。
まず、熱交換部（１１０）により燃料の燃焼を通じて空気を加熱して乾燥空気が生成されると同時に燃料の燃焼を通じて発生する燃焼粒子により凝結核が生成されて、噴射部（１２０）により熱交換部（１１０）で生成された乾燥空気と凝結核が白煙や霧が発生した位置に強力な風圧で遠距離に噴射される。
【００３８】
この際、熱交換部（１１０）と噴射部（１２０）を連結する連結管（１３０）の内部一側に構成された電気石を含む凝結核陰イオン生成部（１４０）により熱交換部（１１０）で生成された凝結核が電気石で生成された陰イオンに結合されて陰イオン化した凝結核が生成される。
【００３９】
ここで、熱交換部（１１０）で生成された乾燥空気に含まれた粉塵物質は熱交換部（１１０）の内部または熱交換部（１１０）と連結管（１３０）の間に構成される集塵フィルター部（１５０）によりフィルターリングされる。また、噴射部（１２０）の駆動時に上記乾燥空気が湿った状態を持たないように外部から流入する大気中の湿気が噴射部（１２０）に構成される湿気除去フィルター部（１６０）により除去される。
【００４０】
以後、噴射部（１２０）に形成された湿気除去フィルター部（１６０）を通じて上記乾燥空気と陰イオン化した凝結核の噴射のために吸入される大気中の湿気が一次的にフィルターリング除去されて、上記のように湿気が除去された大気中の空気は熱交換部（１１０）で生成された乾燥空気と陰イオン化した凝結核と共に白煙や霧に向かって噴射される。
【００４１】
上記噴射された乾燥空気と陰イオン化した凝結核は噴射後、白煙または霧の粒子と混和されて上記陰イオン化した凝結核により白煙または霧の粒子が陰イオン化して、上記陰イオン化した白煙または霧の粒子が陰イオン化した凝結核と結合されて、この時、増加した重さにより噴射部（１２０）の風圧で遠距離まで噴射することができ、上記遠距離に噴射される過程で空気中の重さにより沈降して白煙や霧が除去されて小さな大きさまたは重さの白煙または霧の粒子は噴射された乾燥空気により蒸発されて白煙や霧が根本的に除去される。
【００４２】
ここで、湿気除去フィルター部（１６０）には、噴射部（１２０）の駆動で大気中の空気吸入時に上記フィルターリングされた湿気によりフィルターが冬季に凍らないように熱線が備えられることが好ましい。
【００４３】
また、噴射部（１２０）には、前段にガイドベーン（図示しない）が構成されて上記乾燥空気と陰イオン化した凝結核の噴射時にガイドベーンの調節で噴射速度及び噴射方向が調節されるようにすることが好ましい。
【００４４】
一方、地面から問題箇所まで深さが深い場合は、噴射部（１２０）の前段に対応するハウジング（１８０）の該部位にジャバラ（１９０）が付着構成される。
【００４５】
ハウジング（１８０）は地面に設置された状態でジャバラ（１９０）が白煙や霧の発生部位まで延びてハウジング（１８０）の接近のできない位置で発生した白煙または霧も乾燥空気と陰イオン凝結核の噴射を通じて容易に除去されるようにできる。
【００４６】
一方、集塵フィルター部（１５０）と湿気除去フィルター部（１６０）はフィルターの内部に高圧放電部（図示しない）がさらに構成されて大気中の空気吸入時に空気中に含まれた汚染物質がフィルターに集塵または捕集された場合、放電反応を通じて除去されるようにし、それを通じて、フィルターの寿命向上及びフィルターリング効率の向上を図ることが望ましい。
【００４７】
ここで、上記高圧放電部は、外部の高電圧源から電気を供給する第１蓄電器の両端に放電機の２つの電極が連結されて、上記放電機の後段に第２蓄電器と変圧器を通じて放電電極と接地電極が連結された形態を有することが好ましい。従って、上記高圧放電部によれば、上記第１蓄電器から供給される高電圧が放電機の一定間隔の２電極の間に絶縁が破壊される電圧に至れば、上記放電機の２電極の間の絶縁破壊による火花放電が起き、この時、第２蓄電器に貯蔵されたエネルギーが変圧器を通じて増幅し、放電室に伝えられ、それにより、放電室内部の放電電極と接地電極との間の排気ガスに放電が起きるようになる。また、上記第２蓄電器に充電された電圧が全部放電されれば、上記放電機の２電極の間は絶縁が回復して２電極の間の火花放電が中断されて、第１蓄電器の電圧が第２蓄電器に充電されて放電機の２電極の間の電圧が絶縁破壊電圧に至れば、再度火花放電が発生し、放電室に放電が起きるようになり、そのような過程が反復的に行われ放電室は持続的な放電現象が起きるようになり、それで、フィルターに捕集された汚染物質のカスを高電圧放電により除去させることができる。
【００４８】
上述のように、フィルターに捕集された汚染物質のカスが除去されるようにすることにより、フィルター詰まりの現象無しに大気の吸入ができるようになり、それを通じて、白煙及び霧の除去装置の効率を極大化することができ、フィルターの寿命が向上するようにして維持補修にかかるコストを最小化することができる。
【００４９】
この際、上記高圧放電部は周期的または作業者の命令信号により非周期的に動作制御できる。
【００５０】
一方、発電手段（Ｇ）は、噴射部（１２０）、凝結核陰イオン生成部（１４０）、集塵フィルター部（１５０）及び湿気除去フィルター部（１６０）以外に、サーチライト（Ｒ）などの該構成部に動作電源を供給する手段として、一般的にエンジン型発電機であることが好ましい。
【００５１】
ここで、発電手段（Ｇ）は、化石燃料を通じて力学的エネルギーを発生させるエンジンと、エンジンを通じて発生された力学的エネルギーを用いて電気的エネルギーに変換させる発電機からなり、ボックス形状を有するハウジングの内部に該構成部が公知の技術により構成することができる。
【００５２】
従って、本発明の白煙及び霧の除去装置によれば、配管の破損による熱水により白煙や霧が発生する時に白煙や霧の発生部位に熱交換部（１１０）により生成された乾燥空気及び凝結核陰イオン生成部（１４０）により生成された陰イオン凝結核が噴射されることにより、白煙または霧の粒子が沈降及び蒸発されて白煙や霧が根本的に除去されるようにできる。
【００５３】
また、所定の大きさを有するハウジング（１８０）の内部に白煙及び霧を除去するための構成部がコンパクトに構成されることにより、白煙及び霧の発生位置に容易に移動及び接近して速かに白煙や霧が除去されるようにできる。
【００５４】
また、ハウジング（１８０）から白煙や霧の発生位置までジャバラ（１９０）が構成されることにより、地面から問題箇所までの深さが深くてハウジング（１８０）の接近ができない場合でもジャバラ（１９０）を通じて白煙や霧の発生位置に乾燥空気と陰イオン凝結核が噴射されて白煙や霧が除去されるようにできる。
【００５５】
また、ハウジング（１８０）の上側部にサーチライト（Ｒ）が装着構成されて夜間でも白煙除去作業が容易に行われるようにできる。
【００５６】
上述した本発明では、具体的な実施例に関して説明したが、多様な変形が本発明の範囲を逸脱することなく実施できる。従って、発明の範囲は説明した実施例により限られるものではなく、特許請求の範囲と特許請求の範囲と均等なものにより定めるべきである。
【符号の説明】
【００５７】
１１０  熱交換部
１１１  燃焼タンク
１１２  熱交換タンク
１１３  熱交換管
１１３ａ  熱交換チューブ
１１３ｂ  伝熱板
１１３ｃ  伝熱フィン
１１４  放熱防止管
１１５  外気流入管
１１５ａ  流入輪
１１５ｂ  流入管
１１５ｃ  外気噴射管
１２０  噴射部
１３０  連結管
１４０  凝結核陰イオン生成部
１５０  集塵フィルター部
１６０  湿気除去フィルター部
１７０  燃料タンク
１８０  ハウジング
１９０  ジャバラ
【図１】
2020525753.tif 000003
【図２】
2020525753.tif 000004
【図３】
2020525753.tif 000005
【図４】
2020525753.tif 000006
【図５】
2020525753.tif 000007
【図６】
2020525753.tif 000008
【図７】
2020525753.tif 000009
【図８】
2020525753.tif 000010
【国際調査報告】
2020525753.tif 000011
2020525753.tif 000012
2020525753.tif 000013
2020525753.tif 000014